【手続補正書】
【提出日】平成30年3月27日(2018.3.27)
【手続補正１】
【補正対象書類名】明細書
【補正対象項目名】００３６
【補正方法】変更
【補正の内容】
【００３６】
上述の説明は、現時点で最も現実的な実施形態及び実施例と考慮されるものに関する。しかしながら、本開示はこれら実施形態と実施例のみに限られるべきではなく、付属の請求項の精神と範囲に含まれる各種変形例及び等価配置を網羅するよう意図することが理解される。例えば、上述した実施形態及び実施例では、乗り物２００は概して自動車として説明されている。しかしながら、乗り物２００は自動車に限られず、説明したシステム及び方法は、例えば、航空機、船舶、電車など、運転者又は操作者によっておおよそ制御される他の乗り物においても実現され得る。したがって、該当法の元でこれら変形例や等価構成が認められるよう、本請求項の範囲には最も広い解釈が与えられる。
本開示は以下を含む。
構成１
乗り物のためのコンピューティング装置であって、
当該コンピューティング装置の操作を制御するための１又は複数のプロセッサと、
該１又は複数のプロセッサによって使用されるデータ及びプログラム指令を記憶するためのメモリと、を具備し、前記１又は複数のプロセッサは、前記メモリに記憶された指令を実行して、
前記乗り物の乗員及び該乗員に関連付けられたシートベルトに関する情報に基づいて乗員の位置及びシートベルトの位置を識別し、
少なくとも部分的に、前記乗員の位置、前記シートベルトの位置及び参照モデルに基づいて前記乗員が正しく前記シートベルトを着用しているかどうかを判断し、且つ、
前記乗員が正しく前記シートベルトを着用していない場合には１又は複数の乗り物の操作をロックするように構成された、コンピューティング装置。
構成２
前記乗員及び前記シートベルトに関する前記情報が、前記乗り物に関連付けられた１又は複数の光センサから受信される、構成１に記載のコンピューティング装置。
構成３
前記１又は複数の光センサがカメラである、構成２に記載のコンピューティング装置。
構成４
前記１又は複数の光センサが深度検知カメラである、構成２に記載のコンピューティング装置。
構成５
前記１又は複数のプロセッサが、更に、前記乗員の位置と前記シートベルトの位置とを示す三次元モデルを描画するように構成された、構成１に記載のコンピューティング装置。
構成６
前記乗員が正しく前記シートベルトを着用しているかどうかを判断することが、少なくとも部分的に、前記三次元モデルと前記参照モデルとの比較に基づく、構成５に記載のコンピューティング装置。
構成７
前記三次元モデル及び前記参照モデルの少なくとも一方が、骨格関節の関係の情報を有する、構成５に記載のコンピューティング装置。
構成８
前記参照モデルが、遠隔送信元から当該コンピューティング装置によって受信される、構成１に記載のコンピューティング装置。
構成９
前記１又は複数の乗り物の操作が、イグニッション操作及びギヤシフト操作の少なくとも一方を含む、構成１に記載のコンピューティング装置。
構成１０
前記１又は複数の乗り物の操作が自律運転操作を含む、構成１に記載のコンピューティング装置。
構成１１
前記１又は複数のプロセッサが、更に、１又は複数の乗り物のシステムに対して１又は複数の命令を出し、前記乗り物を自律的に安全な場所へと回避させるように構成された、構成１０に記載のコンピューティング装置。
構成１２
前記１又は複数のプロセッサが、更に、前記１又は複数の乗り物の操作をロックする前に、警告を出すように構成された、構成１に記載のコンピューティング装置。
構成１３
乗り物のためのコンピュータにより実施される方法であって、
前記乗り物の乗員及び前記乗員に関連付けられたシートベルトに関する情報に基づいて乗員の位置及びシートベルトの位置を識別することと、
少なくとも部分的に、前記乗員の位置、前記シートベルトの位置及び参照モデルに基づいて、前記乗員が前記シートベルトを正しく着用しているかどうかを判断することと、
前記乗員が前記シートベルトを正しく着用していない場合には１又は複数の乗り物の操作をロックすることと、を含む方法。
構成１４
前記乗員及び前記シートベルトに関する前記情報が、前記乗り物に関連付けられた１又は複数の光センサから受信される、構成１３に記載の方法。
構成１５
前記１又は複数の光センサが深度検知カメラである、構成１４に記載の方法。
構成１６
前記乗員の位置及び前記シートベルトの位置を示す三次元モデルを描画することを更に含む、構成１３に記載の方法。
構成１７
前記乗員が正しく前記シートベルトを着用しているかどうかを判断することが、少なくとも部分的に、前記三次元モデルと前記参照モデルとの比較に基づく、構成１６に記載の方法。
構成１８
前記三次元モデル及び前記参照モデルの少なくとも一方が、骨格関節の関係の情報を有する、構成１６に記載の方法。
構成１９
前記１又は複数の乗り物の操作が、イグニッション操作、ギヤシフト操作及び自律運転操作の少なくとも１つを含む、構成１３に記載の方法。
構成２０
システムであって、
乗り物に関連付けられた１又は複数の光センサと、
該１又は複数の光センサと通信するコンピューティング装置であって当該コンピューティング装置の操作を制御するための１又は複数のプロセッサと該１又は複数のプロセッサによって使用されるデータ及びプログラム指令を記憶するためのメモリとを有するコンピューティング装置と、具備し、前記１又は複数のプロセッサが、前記メモリに記憶された指令を実行して、
前記１又は複数の光センサから受信された、前記乗り物の乗員及び該乗員に関連付けられたシートベルトに関する情報に基づいて乗員の位置及びシートベルトの位置を識別し、
少なくとも部分的に、前記乗員の位置、前記シートベルトの位置及び参照モデルに基づいて、前記乗員が正しく前記シートベルトを着用しているかどうかを判断し、
前記乗員が正しく前記シートベルトを着用していない場合には１又は複数の乗り物の操作をロックするように構成された、システム。
【手続補正２】
【補正対象書類名】特許請求の範囲
【補正対象項目名】全文
【補正方法】変更
【補正の内容】
【特許請求の範囲】
【請求項１】
乗り物のためのコンピューティング装置であって、
当該コンピューティング装置の操作を制御するための１又は複数のプロセッサと、
該１又は複数のプロセッサによって使用されるデータ及びプログラム指令を記憶するためのメモリと、を具備し、前記１又は複数のプロセッサは、前記メモリに記憶された指令を実行して、
前記乗り物の乗員及び該乗員に関連付けられたシートベルトに関する情報に基づいて乗員位置及びシートベルト位置を識別し、
少なくとも部分的に、前記乗員位置と、前記シートベルト位置と、シートベルトを正しい方法で及び間違った方法で着用した１又は複数の骨格モデルを含む参照モデルと、に基づいて前記乗員が正しく前記シートベルトを着用しているかどうかを判断し、且つ、
前記乗員が正しく前記シートベルトを着用していない場合には１又は複数の乗り物の操作をロックするように構成された、コンピューティング装置。
【請求項２】
前記乗員及び前記シートベルトに関する前記情報が、前記乗り物に関連付けられた１又は複数の光センサから受信される、請求項１に記載のコンピューティング装置。
【請求項３】
前記１又は複数のプロセッサが、更に、前記乗員位置と前記シートベルト位置とを示す三次元モデルを描画するように構成された、請求項１に記載のコンピューティング装置。
【請求項４】
前記乗員が正しく前記シートベルトを着用しているかどうかを判断することが、少なくとも部分的に、前記三次元モデルと前記参照モデルとの比較に基づく、請求項３に記載のコンピューティング装置。
【請求項５】
前記三次元モデル及び前記参照モデルの少なくとも一方が、骨格関節の関係の情報を有する、請求項３に記載のコンピューティング装置。
【請求項６】
前記参照モデルが、遠隔送信元から当該コンピューティング装置によって受信される、請求項１に記載のコンピューティング装置。
【請求項７】
前記１又は複数の乗り物の操作が、イグニッション操作及びギヤシフト操作の少なくとも一方を含む、請求項１に記載のコンピューティング装置。
【請求項８】
乗り物のためのコンピューティング装置であって、
当該コンピューティング装置の操作を制御するための１又は複数のプロセッサと、
該１又は複数のプロセッサによって使用されるデータ及びプログラム指令を記憶するためのメモリと、を具備し、前記１又は複数のプロセッサは、前記メモリに記憶された指令を実行して、
前記乗り物の乗員及び該乗員に関連付けられたシートベルトに関する情報に基づいて乗員位置及びシートベルト位置を識別し、
少なくとも部分的に、前記乗員位置と、前記シートベルト位置と、参照モデルであって、１又は複数の骨格モデル、１又は複数のシートベルトモデル、並びに、シートベルトを正しい方法で及び間違った方法で着用した１又は複数の骨格モデルのうちの少なくとも１つを含む参照モデルと、に基づいて前記乗員が正しく前記シートベルトを着用しているかどうかを判断し、且つ、
前記乗員が正しく前記シートベルトを着用していない場合には１又は複数の乗り物の操作をロックするように構成され、前記１又は複数の乗り物の操作が自律運転操作を含む、コンピューティング装置。
【請求項９】
乗り物のためのコンピューティング装置であって、
当該コンピューティング装置の操作を制御するための１又は複数のプロセッサと、
該１又は複数のプロセッサによって使用されるデータ及びプログラム指令を記憶するためのメモリと、を具備し、前記１又は複数のプロセッサは、前記メモリに記憶された指令を実行して、
前記乗り物の乗員及び該乗員に関連付けられたシートベルトに関する情報に基づいて乗員位置及びシートベルト位置を識別し、
少なくとも部分的に、前記乗員位置と、前記シートベルト位置と、参照モデルであって、１又は複数の骨格モデル、１又は複数のシートベルトモデル、並びに、シートベルトを正しい方法で及び間違った方法で着用した１又は複数の骨格モデルのうちの少なくとも１つを含む参照モデルと、に基づいて前記乗員が正しく前記シートベルトを着用しているかどうかを判断し、
前記乗員が正しく前記シートベルトを着用していない場合には１又は複数の乗り物の操作をロックし、且つ、
１又は複数の乗り物のシステムに対して１又は複数の命令を出し、前記乗り物を安全な場所へと自律的に回避させるように構成された、コンピューティング装置。
【請求項１０】
前記１又は複数のプロセッサが、更に、前記１又は複数の乗り物の操作をロックする前に、警告を出すように構成された、請求項１に記載のコンピューティング装置。
【請求項１１】
乗り物のためのコンピュータにより実施される方法であって、
前記乗り物の乗員及び前記乗員に関連付けられたシートベルトに関する情報に基づいて乗員位置及びシートベルト位置を識別することと、
少なくとも部分的に、前記乗員位置と、前記シートベルト位置と、シートベルトを正しい方法で及び間違った方法で着用した１又は複数の骨格モデルを含む参照モデルに基づいて、前記乗員が前記シートベルトを正しく着用しているかどうかを判断することと、
前記乗員が前記シートベルトを正しく着用していない場合には１又は複数の乗り物の操作をロックすることと、を含む方法。
【請求項１２】
前記乗員位置及び前記シートベルト位置を示す三次元モデルを描画することを更に含む、請求項１１に記載の方法。
【請求項１３】
前記乗員が正しく前記シートベルトを着用しているかどうかを判断することが、少なくとも部分的に、前記三次元モデルと前記参照モデルとの比較に基づく、請求項１２に記載の方法。
【請求項１４】
前記三次元モデル及び前記参照モデルの少なくとも一方が、骨格関節の関係の情報を有する、請求項１２に記載の方法。
【請求項１５】
前記１又は複数の乗り物の操作が、イグニッション操作、ギヤシフト操作及び自律運転操作の少なくとも１つを含む、請求項１１に記載の方法。